(57)【要約】      （修正有）【課題】操作性の改善を図った衣料用ハンガーを提供する。【解決手段】衣料用ハンガーＫは、ハンガー本体１の頂面１Ａに設けられた頂面穴１ａを介して上下移動自在な吊下用フック部材２を有し、吊下用フック部材の胴部２Ａの周面には複数の係止溝部２Ｃ、２Ｄを設け、頂面１Ａには、頂面穴１ａに離間して摘み通し穴１ｂが設けられ、頂面１Ａの裏面に吊下用フック部材の上下移動方向に対して直交する方向に移動自在に設けられた移動体５と、この移動体には、摘み通し穴１ｂより突出する摘み５Ａが一体的に設けられると共に、吊下用フック部材の直線状の胴部を挿通する胴部許容穴５ｂが設けられ、胴部許容穴５ｂに連通し、吊下用フック部材の上下の移動を規制する規制穴５ａとを備え、この規制穴の縁部が係止溝部２Ｃ，２Ｄに係止するものである。【選択図】図２
2008278956.tif 000002
【特許請求の範囲】
【請求項１】
ハンガー本体の頂面に設けられた頂面穴を介して上下移動自在な吊下用フック部材を有する衣料用ハンガーであって、
前記吊下用フック部材は、直線状の胴部と、この胴部からのびるフック部とからなり、前記胴部の周面に設けられた複数の係止溝部と、
前記頂面には、前記頂面穴に離間して摘み通し穴が設けられ、
前記頂面の裏面に前記吊下用フック部材の上下移動方向に対して直交する方向に移動自在に設けられた移動体と、
この移動体には、前記摘み通し穴を挿通して、前記摘み通し穴より突出する摘みが一体的に設けられると共に、前記吊下用フック部材の直線状の胴部を挿通する胴部許容穴が設けられ、
前記胴部許容穴は、前記直線状の胴部の長手方向を横断する横断面の面積より大で、前記吊下用フック部材の上下移動方向の移動を許容する穴であり、
前記胴部許容穴に連通し、前記吊下用フック部材の上下の移動を規制する規制穴とを備え、この規制穴の縁部が前記係止溝部に係止する
ことを特徴とする衣料用ハンガー。
【請求項２】
頂面穴に連通する筒体をハンガー本体の頂面に一体的に設け、
吊下用フック部材の直線状の胴部の長手方向に対して横断する方向に張り出し、前記筒体に当接して吊下用フック部材の下方向の移動を阻止する第１のストッパーを前記直線状の胴部に設ける
ことを特徴とする請求項１記載の衣料用ハンガー。
【請求項３】
複数の係止溝部は、第１の係止溝部と第２の係止溝部であり、
頂面穴に連通する筒体をハンガー本体の頂面に一体的に設け、
吊下用フック部材の直線状の胴部の長手方向に対して横断する方向に張り出し、前記筒体に当接して吊下用フック部材の下方向の移動を阻止する第１のストッパーを前記直線状の胴部に設け、
前記第１のストッパーが前記筒体に当接した位置で、摘みを操作して移動体をスライドさせれば、前記移動体の規制穴の縁部が前記第１の係止溝部に係止するように位置合わせがなされており、
前記吊下用フック部材の直線状の胴部の長手方向に対して横断する方向に張り出し、胴部許容穴の縁部に当接して吊下用フック部材の上方向の移動を阻止する第２のストッパーを前記直線状の胴部に設け、
前記第２のストッパーが前記胴部許容穴の縁部に当接した位置で、前記摘みを操作して前記移動体をスライドさせれば、前記移動体の規制穴部の縁部が前記第２の係止溝部に係止するように位置合わせがなされている
ことを特徴とする請求項１記載の衣料用ハンガー。
【発明の詳細な説明】
【技術分野】
【０００１】
本発明は、衣料用ハンガーに係り、特に、操作性の改善を図った衣料用ハンガーに関する。
【０００２】
従来、衣服を掛けた衣料用ハンガーを複数、洋服タンスのバーに吊り下げ収納する場合がある。
かかる場合、洋服タンスの収納スペースを確保するために、吊り下げ位置を任意に変更できる衣料用ハンガーを使用する（例えば、特許文献１参照）。
この衣料用ハンガーは、フック胴部に摺動自在な筒状のストッパーを使って所望の位置に嵌め合わせるものである。
【０００３】
【特許文献１】特許第３１７７５８８号公報
【発明の開示】
【発明が解決しようとする課題】
【０００４】
しかしながら、上述した衣料用ハンガーにあっては、吊り下げ位置の位置あわせを行う際、ストッパー周壁下部外周に突設した操作用鍔部を、ある程度力を入れて摘み、ストッパー上端に設けられた係止突部の係止溝との係止状態を解除しなければならず、操作性の点で改善の余地があった。
【０００５】
本発明は、上記の点を考慮してなされた衣料用ハンガーを提供することを目的とする  。
【課題を解決するための手段】
【０００６】
本発明の衣料用ハンガーは、ハンガー本体の頂面に設けられた頂面穴を介して上下移動自在な吊下用フック部材を有する衣料用ハンガーであって、前記吊下用フック部材は、直線状の胴部と、この胴部からのびるフック部とからなり、前記胴部の周面に設けられた複数の係止溝部と、前記頂面には、前記頂面穴に離間して摘み通し穴が設けられ、前記頂面の裏面に前記吊下用フック部材の上下移動方向に対して直交する方向に移動自在に設けられた移動体と、この移動体には、前記摘み通し穴を挿通して、前記摘み通し穴より突出する摘みが一体的に設けられると共に、前記吊下用フック部材の直線状の胴部を挿通する胴部許容穴が設けられ、前記胴部許容穴は、前記直線状の胴部の長手方向を横断する横断面の面積より大で、前記吊下用フック部材の上下移動方向の移動を許容する穴であり、前記胴部許容穴に連通し、前記吊下用フック部材の上下の移動を規制する規制穴とを備え、この規制穴の縁部が前記係止溝部に係止するものである。
【０００７】
また、請求項２記載の衣料用ハンガーは、請求項１記載の衣料用ハンガーにおいて、頂面穴に連通する筒体をハンガー本体の頂面に一体的に設け、吊下用フック部材の直線状の胴部の長手方向に対して横断する方向に張り出し、前記筒体に当接して吊下用フック部材の下方向の移動を阻止するものである。
【０００８】
また、請求項３記載の衣料用ハンガーは、請求項１記載の衣料用ハンガーにおいて、複数の係止溝部は、第１の係止溝部と第２の係止溝部であり、頂面穴に連通する筒体をハンガー本体の頂面に一体的に設け、吊下用フック部材の直線状の胴部の長手方向に対して横断する方向に張り出し、前記筒体に当接して吊下用フック部材の下方向の移動を阻止する第１のストッパーを前記直線状の胴部に設け、前記第１のストッパーが前記筒体に当接した位置で、摘みを操作して移動体をスライドさせれば、前記移動体の規制穴の縁部が前記第１の係止溝部に係止するように位置合わせがなされており、前記吊下用フック部材の直線状の胴部の長手方向に対して横断する方向に張り出し、胴部許容穴の縁部に当接して吊下用フック部材の上方向の移動を阻止する第２のストッパーを前記直線状の胴部に設け、前記第２のストッパーが前記胴部許容穴の縁部に当接した位置で、前記摘みを操作して前記移動体をスライドさせれば、前記移動体の規制穴部の縁部が前記第２の係止溝部に係止するように位置合わせがなされているものである。
【発明の効果】
【０００９】
請求項１記載の衣料用ハンガーによれば、ハンガー本体の頂面に設けられた摘み通し穴より突出する摘みを移動体の移動方向にスライドさせて移動体の胴部許容穴を吊下用フック部材の直線状の胴部に位置させ、吊下用フック部材を上下動させて、所定の位置に達したところで、摘みを移動体の前記移動方向と逆方向にスライドさせれば、移動体の規制穴の縁部を吊下用フック部材の直線状の胴部の係止溝部に位置させて、吊下用フック部材の高さ調整を行うことができる。
【００１０】
また、請求項２記載の衣料用ハンガーによれば、前述した請求項１記載の発明の効果に加え、第１のストッパーがハンガー本体の頂面でなく、ハンガー本体の頂面に一体的に設けた筒体に当接するため、ハンガー本体の頂面の破損を防ぐことができる。
【００１１】
また、請求項３記載の衣料用ハンガーによれば、前述した請求項１記載の発明の効果に加え、第１のストッパーが筒体に当接した位置で、摘みを操作して移動体をスライドさせれば、前記移動体の規制穴部の縁部が第１の係止溝部に係止するように、また、第２のストッパーが前記胴部許容穴の縁部に当接した位置で、摘みを操作して移動体をスライドさせれば、前記移動体の前記胴部許容穴の縁部が第２の係止溝部に係止するように、それぞれ位置合わせがなされているため、操作性を更に向上させることができる。
【発明を実施するための最良の形態】
【００１２】
本発明の衣料用ハンガーの一実施例を図面を参照して説明する。
図１乃至図１１において、Ｋは衣服を掛ける衣料用ハンガーで、衣料用ハンガーＫは  、ハンガー本体１と、このハンガー本体１の頂面１Ａに設けられた穴である頂面穴１ａを介して上下移動自在な吊下用フック部材２と、水平方向に設けられたバー３とを有している。
この衣料用ハンガーＫは、例えば、吊り下げ位置を最大Ｈ（図１参照）の長さに変更できるものである。
なお、衣料用ハンガーＫの材料は、射出成型可能なポリプロピレン等の熱可塑性樹脂である。
【００１３】
また、ハンガー本体１の頂面穴１ａには、筒体４が連通するように設けられると共に  、該筒体４は、ハンガー本体１の頂面１Ａに一体的に設けられている。この頂面１Ａには、頂面穴１ａに離間して摘み通し穴１ｂが設けられている。
【００１４】
また、吊下用フック部材２は、直線状の胴部２Ａ（図１０参照）と、この胴部２Ａからのびるフック部２Ｂとからなり、胴部２Ａの周面には、複数の係止溝部が設けられている。この複数の係止溝部は、例えば、第１の係止溝部２Ｃと、この第１の係止溝部２Ｃより下方に位置する第２の係止溝部２Ｄである。
また、直線状の胴部２Ａ（図１０参照）には、吊下用フック部材２の直線状の胴部２Ａの長手方向に対して横断する方向に張り出し、筒体４に当接して吊下用フック部材２の下方向の移動を阻止する第１のストッパー２Ｅが設けられている。
この第１のストッパー２Ｅが筒体４に当接した位置（第１のストッパー２Ｅが筒体４に当接する部位は、図８及び図１０で示すように、筒体４の内壁に設けた張り出し部であるが、筒体４の上端面でも良い。）で、説明を後述する摘み５Ａを操作して移動体５をスライドさせれば（図８、図９及び図１１参照）、移動体５の規制穴５ａの縁部が第１の係止溝部２Ｃに係止する（図９参照）ように位置合わせがなされている。
また、直線状の胴部２Ａ（図１０参照）には、吊下用フック部材２の直線状の胴部２Ａの長手方向に対して横断する方向に張り出し、説明を後述する胴部許容穴５ｂの縁部に当接して吊下用フック部材２の上方向の移動を阻止する第２のストッパー２Ｆが設けられている。
この第２のストッパー２Ｆが後述する胴部許容穴５ｂの縁部に当接した位置で、説明を後述する摘み５Ａを操作して移動体５をスライドさせれば、移動体５の胴部許容穴５ｂの縁部が第２の係止溝部２Ｄに係止するように位置合わせがなされている（図６〜図９参照）。
なお、第２のストッパー２Ｆは、吊下用フック部材２の下端に設けた爪２Ｇ、２Ｇ（図４及び図６参照）の復元力によって第２のストッパー２Ｆの貫通孔の内壁に係止し、吊下用フック部材２に取り付けられている。
【００１５】
また、図２に示す移動体５は、ハンガー本体１の頂面１Ａの裏面に、吊下用フック部材２の上下移動方向に対して直交する方向に移動自在に設けられている（図２〜図１１参照）。この移動体５の移動は、例えば、図５に示すように、ハンガー本体１の裏面の内壁に設けられた支持部１ｃ、１ｃに、移動体５の外表面に設けられた凸部５Ｂ、５Ｂが当接して、移動自在となっている。
この移動体５には、上部に摘み通し穴１ｂを挿通して、摘み通し穴１ｂより突出する摘み５Ａが一体的に設けられると共に、吊下用フック部材２の直線状の胴部２Ａを挿通する胴部許容穴５ｂが設けられ、この胴部許容穴５ｂは、直線状の胴部２Ａの長手方向を横断する横断面の面積より大で、吊下用フック部材２の上下移動方向の移動を許容する穴である（図３、図７及び図９参照）。
５ａは吊下用フック部材２の上下の移動を規制する規制穴で、この規制穴５ａは、胴部許容穴５ｂに連通し（図２及び図３参照）、この胴部許容穴５ａの縁部は、係止溝部（本実施例では、第１の係止溝部２Ｃ及び第２の係止溝部２Ｄ）に係止する大きさとなっている。
【００１６】
従って、上述した衣料用ハンガーＫによれば、ハンガー本体１の頂面１Ａに設けられた摘み通し穴１ｂより突出する摘み５Ａを摘んで移動体５の移動方向（例えば、水平方向）にスライドさせて移動体５の胴部許容穴５ｂを吊下用フック部材２の直線状の胴部２Ａに位置させ（図６、図１０参照）、吊下用フック部材２を上下動させて、所定の位置に達したところ（例えば、図６又は図１０）で、摘み５Ａを摘んで移動体５の前記移動方向と逆方向にスライドさせれば（例えば、図８又は図１１）、移動体５の規制穴５ａの縁部を吊下用フック部材２の直線状の胴部２Ａの係止溝部（２Ｃ、２Ｄ）に位置させて、吊下用フック部材２の高さ調整Ｈ（図１参照）を行うことができる。
【００１７】
なお、特に、第１のストッパー２Ｅが筒体４に当接した位置で、摘み５Ａを操作して移動体５をスライドさせれば（図１０の状態から図１１の状態）、移動体５の規制穴５ａの縁部が第１の係止溝部２Ｃに係止するように、また、第２のストッパー２Ｆが胴部許容穴５ｂの縁部に当接した位置で、摘み５Ａを操作して移動体５をスライドさせれば、移動体５の規制穴５ａの縁部が第２の係止溝部２Ｄに係止するように、それぞれ位置合わせがなされているため、操作性を更に向上させることができる。
【図面の簡単な説明】
【００１８】
【図１】図１は、本発明の一実施例の衣料用ハンガーの概略的正面図である。
【図２】図２は、図１の衣料用ハンガーの概略的分解斜視図である。
【図３】図３は、図２の移動体の概略的平面図である。
【図４】図４は、図２の吊下用フック部材をハンガー本体に取り付ける前の状態の概略的断面図である。
【図５】図５は、図２の移動体をハンガー本体に取り付けた状態の概略的断面図である。
【図６】図６は、図１の衣料用ハンガーの実線で示す吊下用フック部材の第２の係止溝部に、移動体の規制穴部の縁部が係止される前の状態を示す概略的断面図である。
【図７】図７は、図６の７−７線（又は、図１０の７−７線）による概略的断面図である。
【図８】図８は、図１の衣料用ハンガーの実線で示す吊下用フック部材の第２の係止溝部に、移動体の規制穴部の縁部が係止された状態を示す概略的断面図である。
【図９】図９は、図８の９−９線（又は、図１１の９−９線）による概略的断面図である。
【図１０】図１０は、図１の衣料用ハンガーの吊下用フック部材を破線で示す位置に移動させ、移動体の規制穴部の縁部が第１の係止溝部に係止する前の状態を示す概略的断面図である  。
【図１１】図１１は、図１の衣料用ハンガーの吊下用フック部材を破線で示す位置に移動させ、移動体の規制穴部の縁部が第１の係止溝部に係止した状態を示す概略的断面図である。
【符号の説明】
【００１９】
Ｋ        衣料用ハンガー
１        ハンガー本体
１Ａ      頂面
１ａ      頂面穴
２        吊下用フック部材
２Ａ      胴部
２Ｂ      フック部
２Ｃ      係止溝部
２Ｄ      係止溝部
５        移動体
５Ａ      摘み
５ａ      規制穴
５ｂ      胴部許容穴
【図１】
2008278956.tif 000003
【図２】
2008278956.tif 000004
【図３】
2008278956.tif 000005
【図４】
2008278956.tif 000006
【図５】
2008278956.tif 000007
【図６】
2008278956.tif 000008
【図７】
2008278956.tif 000009
【図８】
2008278956.tif 000010
【図９】
2008278956.tif 000011
【図１０】
2008278956.tif 000012
【図１１】
2008278956.tif 000013